(57)【要約】【課題】化粧箱や商品ラベルに代用することが出来、その使用によって包装容器が化粧箱に納められているかの如き外観を呈し、又、その使用によって品物がコスト高になったり、品物の目視による品定めが妨げられることのない包装容器化粧カバーを提供する。【解決手段】包装容器に外嵌する嵌合口１１をカバー地に開設し、その嵌合口の周囲を構成する縁取枠１２の嵌合口を間に挟んで向き合うカバー地の側端部分を互いに向き合う方向に折り返し、その折り返される折返片を閉じ合わせて嵌合口を閉じる外蓋１５・１６とし、これら外蓋と縁取枠によって包装容器化粧カバー１７を構成する。化粧カバー１７は、包装容器２７を嵌合口１１に嵌め込み、一対の外蓋１５・１６を折り返して閉じ合わせて包装容器２７に装着される。【選択図】      図１
2004250057.tif 000002
【特許請求の範囲】
【請求項１】
包装容器に外嵌する嵌合口（１１）がカバー地に開設されており、そのカバー地の嵌合口（１１）の周囲が嵌合口（１１）を縁取る縁取枠（１２）を構成しており、嵌合口（１１）を間に挟んで向き合うカバー地の側端部分が互いに向き合う方向に折り返される一対の折返片を構成しており、その一対の折返片が、縁取枠（１２）の側縁（１３・１４）において折り返されて閉じ合わされて嵌合口（１１）を覆う外蓋（１５・１６）を構成している包装容器化粧カバー。
【請求項２】
前掲請求項１の包装容器化粧カバー（１７）の嵌合口（１１）に、品物出入口（１８）から底面（１９）まで続く外周側面（２０）に、品物出入口側（１８）に対して底面側（１９）が尖端形になる傾斜が付けられており、品物出入口（１８）の外側周縁が外側に突き出たフランジ（２１）を形成している容器本体（２２）が嵌め込まれ、その容器本体の外周側面（２０）が包装容器化粧カバーの縁取枠（１２）の内側周縁（１０）に密着しており、縁取枠の側縁（１３・１４）において一対の外蓋（１５・１６）が折り返されて閉じ合わされ、その一対の外蓋（１５・１６）によって容器本体の品物出入口（１８）が覆われている包装容器。
【請求項３】
容器本体（２２）が透明または半透明である前掲請求項２に記載の包装容器。
【発明の詳細な説明】
【０００１】
【発明の属する技術分野】
本発明は、包装容器を収納する化粧箱、或いは、包装容器に貼付される商品ラベルに兼用、或いは、代用することの出来る包装容器化粧カバーに関するものである。
【０００２】
【従来の技術】
食品その他の品物の装填された包装容器には、その装填されている品物の品質、原料、用途、使用方法、品名、商標等を表示した商品ラベルが貼付されている。
【０００３】
【発明が解決しようとする課題】
汎用されている包装容器は、デザイン的にありふれた形状を成し、それに貼付される商品ラベルにデザイン的な工夫を施すとしても、格別人目を惹くものではない。そこで、その装填されている品物の見栄えをよくして商品価値を高めるために、化粧箱が使用される。しかし、化粧箱を使用すると、品物がコスト高になるし、又、外側から品物を目視して品定めをすることが出来なくなる。
【０００４】
【発明の目的】
そこで本発明は、化粧箱や商品ラベルに代用することが出来、その使用によって包装容器が化粧箱に納められているかの如き外観を呈し、又、その使用によって品物がコスト高になったり、品物の目視による品定めが妨げられることのない包装容器化粧カバーを提供しようとするものである。
【０００５】
【課題を解決するための手段】
本発明に係る包装容器化粧カバー１７は、包装容器に外嵌する嵌合口１１がカバー地に開設されており、そのカバー地の嵌合口１１の周囲が嵌合口１１を縁取る縁取枠１２を構成しており、嵌合口１１を間に挟んで向き合うカバー地の側端部分が互いに向き合う方向に折り返される一対の折返片を構成しており、その一対の折返片が、縁取枠１２の側縁１３・１４において折り返されて閉じ合わされて嵌合口１１を覆う外蓋１５・１６を構成していることを特徴とするものである。
【０００６】
本発明に係る包装容器２７は、上記の包装容器化粧カバー１７の嵌合口１１に、品物出入口１８から底面１９まで続く外周側面２０に、品物出入口側１８に対して底面側１９が尖端形になる傾斜が付けられており、品物出入口１８の外側周縁が外側に突き出たフランジ２１を形成している容器本体２２が嵌め込まれ、その容器本体の外周側面２０が包装容器化粧カバーの縁取枠１２の内側周縁１０に密着しており、縁取枠の側縁１３・１４において一対の外蓋１５・１６が折り返されて閉じ合わされ、その一対の外蓋１５・１６によって容器本体の品物出入口１８が覆われていることを特徴とするものである。
【０００７】
本発明に係る包装容器２７の他特徴は、上記特徴に加えて、容器本体２２を透明ないし半透明にした点にある。
【０００８】
【発明の実施の形態】
汎用されている食品包装容器の多くは、ブロー成形や射出成形による透明または半透明のプラスチック製であり、その成形加工時に成形金型から取り外せるように、品物出入口１８から底面１９まで続く外周側面２０に、品物出入口側１８に対して底面側１９が尖端形になる傾斜が付けられており、その品物出入口１８には補強のために、外側に突き出たリブ乃至フランジ２１が品物出入口１８の外側周縁に付けられている。このため、包装容器化粧カバーの嵌合口１１を容器本体の側面２０の輪郭に合わせて開設しておけば、その嵌合口１１に嵌め込んだ容器本体２２は、その外周側面２０が縁取枠１２の内側周縁１０に密着するか、或いは、そのリブ乃至フランジ２１が縁取枠１２の内側周縁１０に突き当たって止まり、その状態において外蓋１５・１６を折り返して閉じ合わすことによって、容器本体の品物出入口１８を被覆することが出来、化粧カバー１７が包装容器２７に確り取り付けられる。
【０００９】
その状態の平面視において、包装容器２７の周縁３１は化粧カバー１７の外蓋１５・１６と縁取枠１２の間に挟み込まれて外部に露顕せず、包装容器全体２７が化粧カバー１７の下に隠れるので化粧箱に収納されているかの如き美観を呈することになる。その閉じ合わされる外蓋１５・１６に、その容器本体２２に装填されている品物の品質、原料、用途、使用方法、品名、商標等を表示すれば、化粧カバー１７が商品ラベルの代用となり、商品ラベルを容器本体２２に貼付する手間が省ける。
【００１０】
カバー地には、外蓋１５・１６と同様に、その一対の外蓋１５・１６が向き合う方向に直交する方向において向き合う縁取枠１２の他の側縁２３・２４に沿って折り返される一対の内蓋２５・２６を設けるとよい。そうすると、嵌合口１１が外蓋１５・１６と内蓋２５・２６とによって二重に閉じられ、包装容器２７の品物出入口１８の周囲（３１）が化粧カバー１７に覆われることになるので、包装容器２７の美観が一層高まることになる。特に、外蓋１５・１６や内蓋２５・２６と縁取枠１２の間に二重に折目２８・２９を付けるときは、化粧カバー１７が立体的になり、その二重になった折目２８と折目２９の間が化粧箱の側面の観を呈し、包装容器２７の美観が更に高まる。
【００１１】
容器本体の品物出入口１８には、閉じ蓋３０を嵌め合わせることが出来る。二重に付ける折目２８と折目２９の間隔を、閉じ蓋３０に重なり合った品物出入口１８の周縁３１の厚みに合わせて設定すれば、品物出入口の周縁３１のフランジ２１が縁取枠１２に密着する。二重になる折目２８と折目２９の間隔は、閉じ蓋３０に重なり合った品物出入口１８の周縁３１の厚み分よりも大きくすることも出来る。その場合、嵌合口１１の輪郭を、品物出入口部分における容器本体の側面２０の輪郭よりも若干小さくし、嵌合口１１の内側周縁１０が、品物出入口部分１８と底面１９の間において、容器本体の側面２０に密着するようにする。
【００１２】
包装容器化粧カバー１７には、厚紙、プラスチック板、金属板等、概して０．１ｍｍないし０．５ｍｍの厚みの板状資材が使用される。容器本体２２を透明または半透明にするときは、包装容器化粧カバー１７の取り付けられた状態において、容器本体２２に装填されている品物を目視して品定めをすることが出来る。外蓋１５・１６には、適宜、切り抜き模様を施すことが出来、閉じ蓋３０を透明または半透明にし、その切り抜きを通して容器本体２２に装填されている品物を目視することが出来るようにしてもよい。
【００１３】
図１は、化粧カバーと包装容器の組立手順を示す。即ち、閉じ蓋３０を容器本体２２に被せ、容器本体２２を化粧カバー１７の嵌合口１１に落とし込み、化粧カバー１７の外蓋１５・１６を折り返して閉じ蓋３０を包み込み、その外蓋１５・１６を透明粘着テープ等で閉じ合わせて包装容器２７が仕立てられる。その仕立てられた状態において、包装容器２７は、一見して化粧箱に格納されているかの如き観を呈するが、それを裏返すときは、容器本体２２の底面側から装填されている品物を見て品定めをすることが出来る。
【００１４】
【発明の効果】
上記の通り、本発明によると、化粧箱を使用することなく、包装容器２７を化粧箱に格納されているかの如く装飾することが出来、そのために使用される化粧カバー１７が板状資材に嵌合口１１と折目２８・２９を付けただけの単純なものであるため、その使用によって容器本体２２に装填されている品物が格別コスト高になることはない。
【００１５】
化粧カバー１７は包装容器２７に、その嵌合口１１に包装容器２７を嵌め合わせて外蓋１５・１６を折り返すと言う単純作業によって取り付けられ、包装容器２７に商品ラベルを取り付ける場合のように接着剤や粘着剤を必要とせず、従って、接着剤や粘着剤を塗着する装置や、商品ラベルを離形シートから剥ぎ取る装置なども必要とせず、効率的に包装容器２７を装飾し所要の表示を施すことが出来る。
【図面の簡単な説明】
【図１】本発明に係る化粧カバーと包装容器の組立手順を示す斜視図である。
【図２】本発明に係る化粧カバーの斜視図である。
【図３】本発明に係る包装容器の斜視図である。
【図４】本発明に係る化粧カバーと包装容器の組立過程における側面断面図である。
【符号の説明】
１０  内側周縁
１１  嵌合口
１２  縁取枠
１３・１４  側縁
１５・１６  外蓋
１７  包装容器化粧カバー
１８  品物出入口
１９  底面
２０  側面
２１  フランジ
２２  容器本体
２３・２４  側縁
２５・２６  内蓋
２７  包装容器
２８・２９  折目
３０  閉じ蓋
３１  周縁
【図１】
2004250057.tif 000003
【図２】
2004250057.tif 000004
【図３】
2004250057.tif 000005
【図４】
2004250057.tif 000006